(57)【要約】【課題】  簡単かつ安価な構成で、撮影手段に対して外光を確実に遮光して迅速にキャリブレーションを行うことができ、正確な補正データを算出できる画像表示装置におけるキャリブレーションシステムを提供する。【解決手段】  プロジェクタ１によりスクリーン２にテストパターンを投影して、そのテストパターンが投影されたスクリーン２を前方から撮影手段２１により撮影し、その撮影データに基づいてプロジェクタ１からスクリーン２に投影される画像の補正データを算出する画像表示装置におけるキャリブレーションシステムにおいて、撮影手段２１によるテストパターンの撮影時に、スクリーン２の前面にプロジェクタ１からの光以外の外光を遮光する帯状遮光部材１２を配置する。【選択図】        図１
2005101915.tif 000002
【特許請求の範囲】
【請求項１】
プロジェクタによりスクリーンにテストパターンを投影して、そのテストパターンが投影された上記スクリーンを前方から撮影手段により撮影し、その撮影データに基づいて上記プロジェクタから上記スクリーンに投影される画像の補正データを算出する画像表示装置におけるキャリブレーションシステムにおいて、
上記撮影手段による上記テストパターンの撮影時に、上記スクリーンの前面に上記プロジェクタからの光以外の外光を遮光する帯状遮光部材を配置することを特徴とする画像表示装置におけるキャリブレーションシステム。
【請求項２】
上記帯状遮光部材は、上方からの外光を遮光するように、上記スクリーンの幅方向に延在する水平帯状体を、上記スクリーンの高さ方向に複数枚有することを特徴とする請求項１に記載の画像表示装置におけるキャリブレーションシステム。
【請求項３】
上記水平帯状体の各々は、上記スクリーンに対する角度が独立して調整可能に構成されていることを特徴とする請求項２に記載の画像表示装置におけるキャリブレーションシステム。
【請求項４】
上記帯状遮光部材は、上記スクリーンの上端部または下端部に配置される収納部に収納され、上記撮影手段による上記スクリーンの撮影時に、上記収納部から取り出して上記スクリーンの前面に配置されるように構成されていることを特徴とする請求項２または３に記載の画像表示装置におけるキャリブレーションシステム。
【請求項５】
上記帯状遮光部材は、側方からの外光を遮光するように、上記スクリーンの高さ方向に延在する垂直帯状体を、上記スクリーンの幅方向に複数枚有することを特徴とする請求項１に記載の画像表示装置におけるキャリブレーションシステム。
【請求項６】
上記帯状遮光部材は、上記スクリーンの左端部または右端部に配置される収納部に収納され、上記撮影手段による上記スクリーンの撮影時に、上記収納部から取り出して上記スクリーンの前面に配置されるように構成されていることを特徴とする請求項５に記載の画像表示装置におけるキャリブレーションシステム。
【請求項７】
上記帯状遮光部材は、上方からの外光を遮光するように、上記スクリーンの幅方向に延在する水平帯状体を、上記スクリーンの高さ方向に複数枚有すると共に、側方からの外光を遮光するように、上記スクリーンの高さ方向に延在する垂直帯状体を、上記スクリーンの幅方向に複数枚有することを特徴とする請求項１に記載の画像表示装置におけるキャリブレーションシステム。
【請求項８】
上記帯状遮光部材は、上記垂直帯状体の各々が隣接する上記水平帯状体間に折りたたみ自在に結合されて、上記スクリーンの上端部または下端部に配置される収納部に収納され、上記撮影手段による上記スクリーンの撮影時に、上記収納部から取り出して上記スクリーンの前面に配置されるように構成されていることを特徴とする請求項７に記載の画像表示装置におけるキャリブレーションシステム。
【請求項９】
上記帯状遮光部材は、光吸収処理が施されていることを特徴とする請求項１〜８のいずれか一項に記載の画像表示装置におけるキャリブレーションシステム。
【請求項１０】
上記撮影手段は、上記帯状遮光部材の厚み方向の撮影寸法が最小となる角度から、上記スクリーンを撮影するように配置することを特徴とする請求項１〜９のいずれか一項に記載の画像表示装置におけるキャリブレーションシステム。
【請求項１１】
上記補正データは、上記撮影手段から得られる撮影データから上記帯状遮光部材の撮影データを除去して算出することを特徴とする請求項１〜１０のいずれか一項に記載の画像表示装置におけるキャリブレーションシステム。
【請求項１２】
上記テストパターンは幾何補正パターンを有し、該幾何補正パターンを上記帯状遮光部材のない領域に投影することを特徴とする請求項１〜１１のいずれか一項に記載の画像表示装置におけるキャリブレーションシステム。
【発明の詳細な説明】
【技術分野】
【０００１】
本発明は、プロジェクタにより画像をスクリーンに拡大投影して表示する画像表示装置におけるキャリブレーションシステムに関するものである。
【背景技術】
【０００２】
近年、画像表示装置の大画面化に伴い、画像をスクリーンに拡大投射して表示するプロジェクタを用いるものが注目されている。
【０００３】
このようなプロジェクタとして、例えば液晶パネルに入力映像信号に基づく画像を表示し、これをスクリーンに拡大して投影表示する液晶プロジェクタが知られている。この液晶プロジェクタは、画像表示装置の薄型化、軽量化、低消費電力化等を図れる点で、現在の画像表示装置の主流となっている。
【０００４】
また、画像表示装置として、最近では、プロジェクタを複数台組み合わせて、一つの大画面映像を表示するようにした、いわゆるマルチディスプレイ装置が、例えば企業の宣伝や各種イベントのディスプレイ用として実用化されている。
【０００５】
ところで、上述したように、プロジェクタにより画像を拡大してスクリーンに投影表示する画像表示装置では、スクリーン面での表示特性のむら、例えば幾何特性、色特性、輝度特性、ホワイトバランス特性、ガンマ特性等のむら、が画像を観察する上で問題となる。
【０００６】
このため、この種の画像表示装置では、その設置時を含む適宜のタイミングにおいて、プロジェクタによりスクリーンにテストパターンを投影して、そのテストパターンが投影されたスクリーン全体を電子カメラ等の撮影手段により撮影し、その撮影データに基づいてプロジェクタからスクリーンに投影される画像の表示特性のむらを補正する補正データを算出するキャリブレーションを行って、算出した補正データを画像補正装置に格納するようにし、その後、入力画像信号を表示する際には、表示すべき入力画像信号を画像補正装置に格納されている補正データに基づいて補正して、プロジェクタによりスクリーンに拡大投影するようにしている。
【０００７】
ここで、キャリブレーションを行うために、スクリーンに表示されたテストパターンを撮影手段で撮影する際には、プロジェクタからの光以外の外光、例えば画像表示装置が屋外に設置されている場合には太陽光およびその反射光、画像表示装置が室内に設置されている場合には窓からの太陽光や照明具からの照明光、がスクリーンに入射しないように遮光する必要がある。
【０００８】
このようなキャリブレーションを行うシステムとして、従来、スクリーンの前方（観察者側）に撮影手段を配置して、スクリーンと撮影手段との間を組み立て式の暗幕で覆ってテストパターンを撮影するようにしたもの（例えば、特許文献１参照）、あるいは、プロジェクタからスクリーンまでを外光が入射しないように筐体で覆い、撮影手段をスクリーンの後方、すなわち観察者側とは反対側の筐体内に設置してテストパターンを撮影するようにしたもの（例えば、特許文献２参照）、あるいは、スクリーンとして表面側から入射する太陽光等の外光を吸収する特殊スクリーンを用いるようにしたもの（例えば、特許文献３参照）、が知られている。
【０００９】
【特許文献１】特開２００１−２５１６５１号公報
【特許文献２】特開２００１−１０８９５６号公報
【特許文献３】特開２００２−３１１５０８号公報
【発明の開示】
【発明が解決しようとする課題】
【００１０】
しかしながら、特許文献１に開示のように、スクリーンとその前方の撮影手段との間を組み立て式の暗幕で覆う構成にあっては、スクリーンと撮影手段との間に簡易的なフレームを組み立てて暗幕を張る必要があるため、作業が面倒でキャリブレーションに時間がかかることが懸念されると共に、スクリーンが大きくなればなる程、撮影手段までの距離が遠くなり、用意するフレームや暗幕も大がかりとなるため、費用も嵩むことが懸念される。
【００１１】
また、特許文献２に開示のように、プロジェクタからスクリーンまでを筐体で覆う構成にあっては、スクリーンが大きくなればなる程、筐体も大きくなって装置全体がコストアップになるという問題がある。さらに、特許文献３に開示のように、太陽光等の外光を吸収する特殊スクリーンを用いる構成にあっては、スクリーン自体が高価となるために、装置全体がコストアップになるという問題があると共に、太陽光等の外光を完全には吸収できないため、スクリーンで反射された外光が撮影手段に入射して、正確な補正データを算出することが困難になるという問題がある。
【００１２】
したがって、かかる点に鑑みてなされた本発明の目的は、簡単かつ安価な構成で、撮影手段に対して外光を確実に遮光して迅速にキャリブレーションを行うことができ、正確な補正データを算出できる画像表示装置におけるキャリブレーションシステムを提供することにある。
【課題を解決するための手段】
【００１３】
上記目的を達成する請求項１に係る発明は、プロジェクタによりスクリーンにテストパターンを投影して、そのテストパターンが投影された上記スクリーンを前方から撮影手段により撮影し、その撮影データに基づいて上記プロジェクタから上記スクリーンに投影される画像の補正データを算出する画像表示装置におけるキャリブレーションシステムにおいて、上記撮影手段による上記テストパターンの撮影時に、上記スクリーンの前面に上記プロジェクタからの光以外の外光を遮光する帯状遮光部材を配置することを特徴とするものである。
【００１４】
請求項２に係る発明は、請求項１に記載の画像表示装置におけるキャリブレーションシステムにおいて、上記帯状遮光部材は、上方からの外光を遮光するように、上記スクリーンの幅方向に延在する水平帯状体を、上記スクリーンの高さ方向に複数枚有することを特徴とするものである。
【００１５】
請求項３に係る発明は、請求項２に記載の画像表示装置におけるキャリブレーションシステムにおいて、上記水平帯状体の各々は、上記スクリーンに対する角度が独立して調整可能に構成されていることを特徴とするものである。
【００１６】
請求項４に係る発明は、請求項２または３に記載の画像表示装置におけるキャリブレーションシステムにおいて、上記帯状遮光部材は、上記スクリーンの上端部または下端部に配置される収納部に収納され、上記撮影手段による上記スクリーンの撮影時に、上記収納部から取り出して上記スクリーンの前面に配置されるように構成されていることを特徴とするものである。
【００１７】
請求項５に係る発明は、請求項１に記載の画像表示装置におけるキャリブレーションシステムにおいて、上記帯状遮光部材は、側方からの外光を遮光するように、上記スクリーンの高さ方向に延在する垂直帯状体を、上記スクリーンの幅方向に複数枚有することを特徴とするものである。
【００１８】
請求項６に係る発明は、請求項５に記載の画像表示装置におけるキャリブレーションシステムにおいて、上記帯状遮光部材は、上記スクリーンの左端部または右端部に配置される収納部に収納され、上記撮影手段による上記スクリーンの撮影時に、上記収納部から取り出して上記スクリーンの前面に配置されるように構成されていることを特徴とするものである。
【００１９】
請求項７に係る発明は、請求項１に記載の画像表示装置におけるキャリブレーションシステムにおいて、上記帯状遮光部材は、上方からの外光を遮光するように、上記スクリーンの幅方向に延在する水平帯状体を、上記スクリーンの高さ方向に複数枚有すると共に、側方からの外光を遮光するように、上記スクリーンの高さ方向に延在する垂直帯状体を、上記スクリーンの幅方向に複数枚有することを特徴とするものである。
【００２０】
請求項８に係る発明は、請求項７に記載の画像表示装置におけるキャリブレーションシステムにおいて、上記帯状遮光部材は、上記垂直帯状体の各々が隣接する上記水平帯状体間に折りたたみ自在に結合されて、上記スクリーンの上端部または下端部に配置される収納部に収納され、上記撮影手段による上記スクリーンの撮影時に、上記収納部から取り出して上記スクリーンの前面に配置されるように構成されていることを特徴とするものである。
【００２１】
請求項９に係る発明は、請求項１〜８のいずれか一項に記載の画像表示装置におけるキャリブレーションシステムにおいて、上記帯状遮光部材は、光吸収処理が施されていることを特徴とするものである。
【００２２】
請求項１０に係る発明は、請求項１〜９のいずれか一項に記載の画像表示装置におけるキャリブレーションシステムにおいて、上記撮影手段は、上記帯状遮光部材の厚み方向の撮影寸法が最小となる角度から、上記スクリーンを撮影するように配置することを特徴とするものである。
【００２３】
請求項１１に係る発明は、請求項１〜１０のいずれか一項に記載の画像表示装置におけるキャリブレーションシステムにおいて、上記補正データは、上記撮影手段から得られる撮影データから上記帯状遮光部材の撮影データを除去して算出することを特徴とするものである。
【００２４】
請求項１２に係る発明は、請求項１〜１１のいずれか一項に記載の画像表示装置におけるキャリブレーションシステムにおいて、上記テストパターンは幾何補正パターンを有し、該幾何補正パターンを上記帯状遮光部材のない領域に投影することを特徴とするものである。
【発明の効果】
【００２５】
本発明によれば、撮影手段によるテストパターンの撮影時に、スクリーンの前面にプロジェクタからの光以外の外光を遮光する帯状遮光部材を配置するので、簡単かつ安価な構成で、撮影手段に対して外光を確実に遮光して迅速にキャリブレーションを行うことができ、正確な補正データを算出することができる。
【発明を実施するための最良の形態】
【００２６】
以下、本発明の画像表示装置におけるキャリブレーションシステムの実施の形態について図面を参照して説明する。
【００２７】
（第１実施の形態）
図１〜図３は本発明の第１実施の形態を示すもので、図１は要部の概略構成図、図２は帯状遮光部材による遮光状態を電子カメラの配置位置から見た正面図、図３は帯状遮光部材の収納機構を説明するための図である。
【００２８】
本実施の形態は、図１に示すように、２台のプロジェクタ１により一つの大画面映像をスクリーン２に拡大投影して表示するマルチディスプレイ装置のキャリブレーションを行うもので、そのキャリブレーション時に、パーソナルコンピュータ等からなるコントローラ３からテストパターン信号を出力させ、このテストパターン信号を画像補正装置４で補正処理することなく２台のプロジェクタ１に供給して、スクリーン２にテストパターンを投影表示させる。
【００２９】
また、スクリーン２の上端部には、帯状遮光部材収納部１１を配置し、この帯状遮光部材収納部１１から帯状遮光部材１２を取り出してスクリーン２の前面に配置する。帯状遮光部材１２は、上方からの外光を遮光するように、図２に正面図をも示すように、スクリーン２の幅方向にほぼ水平に延在する水平帯状体１３を、スクリーン２の高さ方向に複数枚有している。
【００３０】
これら水平帯状体１３は、遮光状態においてスクリーン２の高さ方向にほぼ等間隔に配置されるように、その左右両端部において、図３（ａ）に側面図を示すように、それぞれ２本のひも状部材１４ａ，１４ｂに連結する。また、最下方の水平帯状体１３の両端部には、それぞれ操作用ひも状部材１５を連結し、これら２本の操作用ひも状部材１５を、モータにより、あるいは手動により滑車１６を介して水平帯状体１３が下降する方向に連動して移動させることにより、帯状遮光部材収納部１１に収納された水平帯状体１３を繰り出してスクリーン２の前面に配置するようにする。
【００３１】
なお、水平帯状体１３は、例えばプラスチックや板金等の薄い帯状部材の表面に、黒の粉体塗装、ソマブラックＮＲ（ＮＲ−Ｎ５０、ＮＲ−Ｔ５０）（商品名：ソマール社製）等のフィルム、またはスーパーブラックＩＲ（商品名：テックワールド社製）等の布などを施すか、あるいは素材が黒色のプラスチックからなる帯状部材の表面を梨地処理して、反射率１％程度に形成する。
【００３２】
このように、２台のプロジェクタ１からスクリーン２にテストパターンを投影表示し、スクリーン２の前面に上方からの外光を遮光するように複数枚の水平帯状体１３を配置した状態で、テストパターンが表示されたスクリーン全体を撮影手段である電子カメラ２１でスクリーン前方から撮影する。なお、電子カメラ２１は、全ての水平帯状体１３のトータルな厚み方向の撮影寸法が最小となる角度位置、本実施の形態ではスクリーン２のほぼ中央から所定距離隔てた位置に配置する。
【００３３】
電子カメラ２１で撮影したテストパターンの撮影データは、コントローラ３に供給し、ここで水平帯状体１３の撮影データを除去してその部分を周囲の撮影データに基づいて補間処理し、その補間処理された撮影データに基づいてスクリーン面での表示特性のむら、例えば幾何特性、色特性、輝度特性、ホワイトバランス特性、ガンマ特性等の少なくとも一つのむらを補正するための補正データを公知の方法で算出し、その算出した補正データを各プロジェクタ１に対応して画像補正装置４に格納して、キャリブレーションを終了する。
【００３４】
キャリブレーションを終了したら、図３（ａ）において、２本の操作用ひも状部材１５を水平帯状体１３が上昇する方向に連動して移動させることにより、図３（ｂ）に示すように水平帯状体１３を帯状遮光部材収納部１１に収納し、その後、必要に応じて帯状遮光部材収納部１１をスクリーン上端部から取り外す。以後は、表示すべき入力画像信号を、画像補正装置４に格納されている各プロジェクタ１毎の補正データに基づいて補正して、２台のプロジェクタ１によりスクリーン２に拡大投影する。
【００３５】
本実施の形態によれば、キャリブレーション時において、スクリーン２に投影表示されたテストパターンを電子カメラ２１で撮影する際に、スクリーン２の前面に複数の水平帯状体１３を有する帯状遮光部材１２を配置して、スクリーン２にその上方から入射する外光を遮光するようにしたので、屋外等でのキャリブレーション時に大がかりな暗幕等を設置することなく、簡単かつ安価な構成で、電子カメラ２１に対して２台のプロジェクタ１からの光以外の外光を確実に遮光して迅速にキャリブレーションを行うことができ、これにより正確な補正データを算出することができる。
【００３６】
（第２実施の形態）
図４は本発明の第２実施の形態に係る画像表示装置におけるキャリブレーションシステムの要部の概略構成図である。
【００３７】
本実施の形態は、各水平帯状体１３のスクリーン２に対する角度を独立して調整可能に構成した点が第１実施の形態と基本的に異なるもので、図４では最下部に配置される水平帯状体１３はほぼ水平に配置し、この最下部から上方に配置される水平帯状体１３は、高さが高くなるに従って下向きに配置して、電子カメラ２１により全ての水平帯状体１３のトータルな厚み方向の撮影寸法が最小となる角度位置、本実施の形態ではスクリーン２のほぼ最下部からスクリーン前方に所定距離隔てた位置からスクリーン２に投影表示されたテストパターンを撮影して補正データを算出する。その他の構成および作用は、第１実施の形態と同様である。なお、図４では、１台のプロジェクタ１を用いる画像表示装置の場合を示している。
【００３８】
このように、各水平帯状体１３のスクリーン２に対する角度を独立して調整可能に構成すれば、外光の方向に応じて、各水平帯状体１３のスクリーン２に対する角度を適宜調整できるので、外光をより効率よく遮光でき、より正確な補正データを算出することができる。
【００３９】
なお、第１実施の形態および第２実施の形態では、帯状遮光部材収納部１１をスクリーン２の上端部に配置したが、図５（ａ）および（ｂ）に示すように、帯状遮光部材収納部１１をスクリーン２の下端部に配置し、最上方の水平帯状体１３の両端部に、それぞれ操作用ひも状部材１５を連結して、これら２本の操作用ひも状部材１５を、同様にモータにより、あるいは手動により滑車１６を介して水平帯状体１３が上昇する方向に連動して移動させることにより、帯状遮光部材収納部１１に収納された水平帯状体１３を繰り出してスクリーン２の前面に配置し、キャリブレーションの終了後は、水平帯状体１３が下降する方向に２本の操作用ひも状部材１５を連動して移動させることにより、水平帯状体１３を帯状遮光部材収納部１１に収納するように構成することもできる。
【００４０】
（第３実施の形態）
図６〜図８は本発明の第３実施の形態を示すもので、図６は要部の概略構成図、図７は帯状遮光部材による遮光状態を示す正面図、図８は帯状遮光部材の収納機構を説明するための平面図ある。
【００４１】
本実施の形態では、スクリーン２の左端部または右端部（ここでは、左端部）に帯状遮光部材収納部１１を配置し、この帯状遮光部材収納部１１から帯状遮光部材１２を取り出してスクリーン２の前面に配置する。帯状遮光部材１２は、スクリーン側方からの外光を遮光するように、図７に正面図をも示すように、スクリーン２の高さ方向にほぼ垂直に延在する垂直帯状体３１を、スクリーン２の幅方向に複数枚有している。
【００４２】
これら垂直帯状体３１は、遮光状態において図７に示すようにスクリーン２の幅方向にほぼ等間隔に配置されるように、その上端部においてレール３２に沿って公知の手段により往復移動可能に構成する。なお、垂直帯状体３１は、水平帯状体１３と同様に、例えばプラスチックや板金等の薄い帯状部材の表面に、黒の粉体塗装、ソマブラックＮＲ（ＮＲ−Ｎ５０、ＮＲ−Ｔ５０）（商品名：ソマール社製）等のフィルム、またはスーパーブラックＩＲ（商品名：テックワールド社製）等の布などを施すか、あるいは素材が黒色のプラスチックからなる帯状部材の表面を梨地処理して、反射率１％程度に形成する。
【００４３】
このようにして、キャリブレーション時に、スクリーン２の前面に複数枚の垂直帯状体３１を配置した状態で、テストパターンが表示されたスクリーン全体を、電子カメラ２１により全ての垂直帯状体３１のトータルな厚み方向の撮影寸法が最小となる角度位置、本実施の形態ではスクリーン２のほぼ中央部からスクリーン前方に所定距離隔てた位置からスクリーン２に投影表示されたテストパターンを撮影して補正データを算出する。その他の構成および作用は、第１実施の形態と同様である。
【００４４】
本実施の形態によれば、スクリーン２に投影表示されたテストパターンを電子カメラ２１で撮影する際に、スクリーン２の前面に複数の垂直帯状体３１を有する帯状遮光部材１２を配置するようにしたので、大がかりな暗幕等を設置することなく、簡単かつ安価な構成で、スクリーン２にその側方から入射する外光を確実に遮光して迅速にキャリブレーションを行うことができ、正確な補正データを算出することができる。
【００４５】
（第４実施の形態）
図９〜図１１は本発明の第４実施の形態を示すもので、図９は要部の概略構成図、図１０は帯状遮光部材による遮光状態を示す正面図、図１１は同じく側面図ある。
【００４６】
本実施の形態では、キャリブレーション時にスクリーン２の前方に配置する帯状遮光部材１２として、第１実施の形態または第２実施の形態で示した構成の複数の水平帯状体１３を配置すると共に、さらにその前方に第３実施の形態で示した構成の複数の垂直帯状体３１を配置して、電子カメラ２１により全ての水平帯状体１３および垂直帯状体３１のトータルな厚み方向の撮影寸法が最小となる角度位置、本実施の形態ではスクリーン２のほぼ中央部からスクリーン前方に所定距離隔てた位置からスクリーン２に投影表示されたテストパターンを撮影して補正データを算出するようにしたものである。
【００４７】
なお、水平帯状体１３は、図３または図５に示したと同様に、スクリーン２の上端部または下端部に収納部を配置して収納可能に構成し、垂直帯状体３１は、図６に示したと同様に、スクリーン２の左端部または右端部に収納部を配置して収納可能に構成する。
【００４８】
したがって、本実施の形態によれば、スクリーン２にその上方および側方から入射する外光を、大がかりな暗幕等を設置することなく、簡単かつ安価な構成で、迅速かつ確実に遮光してキャリブレーションを行うことができ、より正確な補正データを算出することができる。
【００４９】
（第５実施の形態）
図１２および図１３は本発明の第５実施の形態を示すもので、図１２は要部の概略構成図、図１３は帯状遮光部材による遮光状態を示す側面図ある。
【００５０】
本実施の形態は、第４実施の形態において、垂直帯状体３１の各々を、図１２に部分拡大図をも示すように、隣接する水平帯状体１３間に折りたたみ自在に結合して、これら水平帯状体１３および垂直帯状体３１を有する帯状遮光部材１２を、図３または図５に示したと同様に、スクリーン２の上端部または下端部において収納部に収納自在に構成したものである。
【００５１】
このように構成すれば、第４実施の形態に比べて、帯状遮光部材１２をコンパクトにできると共に、水平帯状体１３をスクリーン前面に配置する操作で、同時に垂直帯状体３１も配置することができるので、より迅速にキャリブレーションを行うことができる。
【００５２】
（第６実施の形態）
図１４および図１５は本発明の第６実施の形態を示すもので、図１４は要部の概略構成を示す斜視図、図１３は同じく平面図ある。
【００５３】
本実施の形態では、スクリーン２が大型で曲面を有する場合において、スクリーン２を水平方向に複数の領域（ここでは、三つの領域）に分割し、その各領域に第１実施の形態または第２実施の形態で説明したような複数の水平帯状体１３を有する帯状遮光部材１２を配置するようにしたものである。なお、各帯状遮光部材１２は、図３または図５に示したと同様に、スクリーン２の上端部または下端部において収納部に収納自在に構成する。
【００５４】
このように構成すれば、スクリーン２が大型で曲面を有する場合においても、簡単かつ安価な構成で、キャリブレーション時にスクリーン上方から入射する外光を確実に遮光することができる。
【００５５】
なお、本発明は上記実施の形態にのみ限定されるものではなく、幾多の変形または変更が可能である。例えば、第６実施の形態においては、水平帯状体１３のみを有する帯状遮光部材１２に代えて、第４実施の形態または第５実施の形態のように、水平帯状体１３および垂直帯状体３１を有する帯状遮光部材１２を配置するようにすることもできる。また、上記各実施の形態において、帯状遮光部材１２は、必ずしもスクリーン２の端部に収納部を配置して収納可能に構成する必要はない。
【００５６】
さらに、上記各実施の形態において、幾何補正データを算出するために、スクリーン２に幾何補正パターンを有するテストパターンを投影する場合には、帯状遮光部材１２のない領域、例えば図１６に示すように、帯状遮光部材１２が水平帯状体１３および垂直帯状体３１を有する場合には、これら水平帯状体１３および垂直帯状体３１で囲まれる領域に幾何補正パターン３５を有するテストパターンを投影するようにする。このようにすれば、撮影時に幾何補正パターン３５が帯状遮光部材１２によって遮られることがないので、幾何補正データを正確に算出することができる。
【図面の簡単な説明】
【００５７】
【図１】本発明の第１実施の形態に係る画像表示装置におけるキャリブレーションシステムの要部の概略構成図である。
【図２】図１に示す帯状遮光部材による遮光状態を電子カメラの配置位置から見た正面図である。
【図３】図１に示す帯状遮光部材の収納機構を説明するための図である。
【図４】本発明の第２実施の形態に係る画像表示装置におけるキャリブレーションシステムの要部の概略構成図である。
【図５】第１実施の形態および第２実施の形態の変形例を説明するための図である。
【図６】本発明の第３実施の形態に係る画像表示装置におけるキャリブレーションシステムの要部の概略構成図である。
【図７】図６に示す帯状遮光部材による遮光状態を示す正面図である。
【図８】同じく、帯状遮光部材の収納機構を説明するための平面図ある。
【図９】本発明の第４実施の形態に係る画像表示装置におけるキャリブレーションシステムの要部の概略構成図である。
【図１０】図９に示す帯状遮光部材による遮光状態を示す正面図である。
【図１１】同じく、側面図ある。
【図１２】本発明の第５実施の形態に係る画像表示装置におけるキャリブレーションシステムの要部の概略構成図である。
【図１３】図１２に示す帯状遮光部材による遮光状態を示す側面図ある。
【図１４】本発明の第６実施の形態に係る画像表示装置におけるキャリブレーションシステムの要部の概略構成図である。
【図１５】同じく、平面図ある。
【図１６】幾何補正パターンを有するテストパターンのスクリーンへの投影態様の一例を示す図である。
【符号の説明】
【００５８】
１  プロジェクタ
２  スクリーン
３  コントローラ
４  画像補正装置
１１  帯状遮光部材収納部
１２  帯状遮光部材
１３  水平帯状体
２１  電子カメラ
３１  垂直帯状体
３２  レール
【図１】
2005101915.tif 000003
【図２】
2005101915.tif 000004
【図３】
2005101915.tif 000005
【図４】
2005101915.tif 000006
【図５】
2005101915.tif 000007
【図６】
2005101915.tif 000008
【図７】
2005101915.tif 000009
【図８】
2005101915.tif 000010
【図９】
2005101915.tif 000011
【図１０】
2005101915.tif 000012
【図１１】
2005101915.tif 000013
【図１２】
2005101915.tif 000014
【図１３】
2005101915.tif 000015
【図１４】
2005101915.tif 000016
【図１５】
2005101915.tif 000017
【図１６】
2005101915.tif 000018